(57)【要約】  患者に対応する状態を含む入力を受け取り、状態に対応する勧告の組を取り出し、ユーザに向けて、勧告の組の少なくとも一部分を表示し、勧告のうちの１つが完了している旨の入力を受け取り、勧告のうちの１つが完了している旨の入力に基づいて勧告の表示を修正するためのシステム及び方法。
2012507769.tif 000002
【特許請求の範囲】
【請求項１】
方法であって、
患者に対応する状態を含む入力を受け取るステップと、
前記状態に対応する勧告の組を取り出すステップと、
前記勧告の組の少なくとも一部分をユーザに向けて表示するステップと、
前記勧告のうちの１つが完了している旨の入力を受け取るステップと、
前記勧告のうちの前記１つが完了している旨の前記入力に基づいて前記勧告の前記表示を修正するステップと
を含む方法。
【請求項２】
請求項１記載の方法であって、前記修正するステップは、前記勧告のうちの前記１つが完了している旨を示すステップを含む方法。
【請求項３】
請求項１記載の方法であって、前記修正するステップは、前記１つの勧告が完了している旨の前記入力に基づいて他の少なくとも１つの勧告が完了している旨を示すステップを含む方法。
【請求項４】
請求項１記載の方法であって、前記修正するステップは、前記１つの勧告が完了している旨の前記入力に基づいて、他の少なくとも１つの勧告は、無関係であること、及び完了するのが可能でないことのうちの何れか一方であることを示すステップを含む方法。
【請求項５】
請求項１記載の方法であって、前記修正するステップは、前記１つの勧告が完了している旨の前記入力に基づいて勧告の別個の少なくとも２つの経路を含む複数の勧告を表示するステップを含む方法。
【請求項６】
請求項１記載の方法であって、
前記勧告の組のうちの１つの選択をユーザから受け取るステップであって、前記勧告のうちの前記選択された勧告は、前記勧告の組の系列から逸脱しているステップと、
前記逸脱している勧告に関する情報を前記ユーザに提供するステップとを含む方法。
【請求項７】
請求項６記載の方法であって、前記情報は、前記勧告のうちの前記選択された１つの勧告に先行する前記勧告のうちの更なる１つの勧告、及び前記勧告のうちの前記選択された１つの勧告に関する警告のうちの一方である方法。
【請求項８】
請求項１記載の方法であって、
ユーザの職務機能を示す更なる入力を受け取るステップと、
ユーザの職務機能に基づいて前記勧告の前記表示を修正するステップと
を更に含む方法。
【請求項９】
請求項１記載の方法であって、前記入力は、ユーザ入力及びパラメータ入力の一方である方法。
【請求項１０】
請求項１記載の方法であって、前記表示を修正するステップは、前記勧告のうちの前記１つの色を変えるステップ、及び前記勧告のうちの前記１つを取り囲む境界を変えるステップの一方を含む方法。
【請求項１１】
システムであって、
プロセッサ、
ディスプレイ、及び
メモリを備え、
前記プロセッサは、患者に対応する状態の入力を受け取り、前記状態に対応する勧告の組を前記メモリから取り出し、前記ディスプレイはユーザに向けて前記勧告の組を表示し、前記プロセッサは、前記勧告のうちの１つが完了している旨の入力を受け取り、前記勧告のうちの１つが完了している旨の入力に基づいて前記勧告の前記表示を修正する旨の命令を前記ディスプレイに送出するシステム。
【請求項１２】
請求項１１記載のシステムであって、前記表示を修正する旨の命令は、前記勧告のうちの前記１つが完了している旨を示すステップを含むシステム。
【請求項１３】
請求項１１記載のシステムであって、前記表示を修正する旨の命令は、前記１つの勧告が完了している旨の前記入力に基づいて他の少なくとも１つの勧告が完了している旨を示すステップを含むシステム。
【請求項１４】
請求項１１記載のシステムであって、前記表示を修正する旨の命令は、前記１つの勧告が完了している旨の前記入力に基づいて、他の少なくとも１つの勧告は、無関係であること、及び完了するのが可能でないことのうちの何れか一方であることを示すステップを含むシステム。
【請求項１５】
請求項１１記載のシステムであって、前記表示を修正する旨の命令は、前記１つの勧告が完了している旨の前記入力に基づいて勧告の別個の少なくとも２つの経路を含む複数の勧告を表示するステップを含むシステム。
【請求項１６】
請求項１１記載のシステムであって、
前記入力を受け取るためのユーザ・インタフェース装置を更に備えるシステム。
【請求項１７】
請求項１６記載のシステムであって、前記ユーザ・インタフェース装置は、キーボード、マウス、タッチ感応型画面、及びタッチパッドのうちの１つであるシステム。
【請求項１８】
請求項１６記載のシステムでああって、前記プロセッサは、前記勧告の組のうちの１つの選択を、前記ユーザ・インタフェース装置を介して受け取り、前記勧告のうちの選択された１つは前記勧告の組の系列から逸脱しており、前記プロセッサは、逸脱情報に関する情報をユーザに提供するために前記ディスプレイに更なる命令を送出するシステム。
【請求項１９】
請求項１８記載のシステムであって、前記情報は、前記勧告のうちの前記選択された１つの勧告に先行する前記勧告のうちの更なる１つの勧告、及び前記勧告のうちの前記選択された１つの勧告に関する警告のうちの一方であるシステム。
【請求項２０】
プロセッサによって実行可能な命令の組を記憶したコンピュータ読み取り可能な記憶媒体であって、前記命令の組は、
患者に対応する状態を含む入力を受け取り、
前記状態に対応する勧告の組を取り出し、
ユーザに向けて、前記勧告の組のうちの少なくとも一部分を表示し、
前記勧告のうちの１つが完了している旨の入力を受け取り、
前記勧告のうちの１つが完了している旨の入力に基づいて前記勧告の前記表示を修正する
よう実行可能であるコンピュータ読み取り可能な記憶媒体。
【発明の詳細な説明】
【技術分野】
【０００１】
医療提供者は、頻繁に実行される医療手順または他の処理のためのガイドラインを実現することにより、行為を標準化する。
【背景技術】
【０００２】
前述のガイドラインは、ガイドラインの実行を追跡するか、又は厳密に規定された通りにガイドラインを実行することが困難な、時間が重要な状況又は緊急時に実行され得る。
【発明の概要】
【発明が解決しようとする課題】
【０００３】
上記課題を解決するという、長期間未解決の必要性が存在している。
【課題を解決するための手段】
【０００４】
本明細書及び特許請求の範囲記載の例示的な実施例は、患者に対応する状態を含む入力を受け取り、状態に対応する勧告の組を取り出し、勧告の組の少なくとも一部分をユーザに向けて表示し、勧告のうちの１つが完了している旨の入力を受け取り、勧告のうちの１つが完了している旨の入力に基づいて勧告の表示を修正する方法を含む。
【０００５】
本明細書記載の例示的な実施例は、プロセッサ、ディスプレイ及びメモリを有するシステムを更に含む。プロセッサは、患者に対応する状態の入力を受け取り、状態に対応する勧告の組をメモリから取り出し、ディスプレイはユーザに向けて勧告の組を表示し、プロセッサは、勧告のうちの１つが完了している旨の入力を受け取り、勧告のうちの１つが完了している旨の入力に基づいて勧告の表示を修正する旨の命令をディスプレイに送出する。
【０００６】
本明細書及び特許請求の範囲記載の例示的な実施例は、プロセッサによって実行可能な命令の組を含むコンピュータ読み取り可能な記憶媒体を更に含み、上記命令の組は、患者に対応する状態を含む入力を受け取り、上記状態に対応する勧告の組を取り出し、勧告の組の少なくとも一部分をユーザに向けて表示し、勧告のうちの１つが完了している旨の入力を受け取り、勧告のうちの１つが完了している旨の入力に基づいて勧告の表示を修正するよう実行可能である。
【図面の簡単な説明】
【０００７】
【図１】本発明により、医療ガイドラインを整合する例示的なシステムを示す図である。
【図２】本発明により、医療ガイドラインを整合する例示的な方法を示す図である。
【図３】ディスプレイなどを介してユーザに提供され得るグラフィカル・ユーザ・インタフェース（「ＧＵＩ」）を示す図である。
【発明を実施するための形態】
【０００８】
本明細書及び特許請求の範囲の例示的な実施例は、以下の説明及び添付図面を参照すると、更に理解することができる。ここで、同じ構成要素には同じ参照符号を付して表す。例示的な実施例は、医療プロフェッショナルが、特定の状態の患者を処置し得る臨床ガイドラインの実行を整合するシステム及び方法を表す。
【０００９】
本明細書及び特許請求の範囲記載の「ガイドライン」は、特定の疾病及び／又は状態を有する患者をどのようにして最適に処置し、管理するかについての医療プロフェッショナルに対する文書化された勧告の組である。前述のガイドラインは通常、硬直な規則であることが意図されておらず、むしろ、そのユーザを導くためのアドバイスとなることが意図されている。前述のガイドラインの多くは、Ｎａｔｉｏｎａｌ  Ｇｕｉｄｅｌｉｎｅ  Ｃｌｅａｒｉｎｇｈｏｕｓｅによって維持されており、ｈｔｔｐ：／／ｗｗｗ．ｇｕｉｄｅｌｉｎｅ．ｇｏｖにおいて入手可能である。ガイドラインの取り扱いをコンピュータ化するか、又は他のやり方で自動化するために種々の努力がなされているが、所定の事象の順序にユーザが制限されることを含む欠点がある。例えば、患者の状態は多くの場合、変動し、これは、所定の事象の順序により、考慮に入れることは可能でない。本明細書及び特許請求の範囲記載の例示的な実施例は、前述の欠点を解消し、ガイドラインを扱ううえで更なる利点をもたらし得る。
【実施例】
【００１０】
図１は、ガイドラインの実行の追跡を含む、ガイドラインの実行の整合において使用するための例示的なシステム１００を示す。システム１００はこの目的のみに特化し得るか、又は、他のタスク（患者情報又はバイタルサイン等の監視）を行うためにも使用し得る。システム１００は、スタンドアロンであり得、１つ又は複数の医療提供場所に及ぶネットワークの一部であり得る。
【００１１】
システム１００は例えば、ディスプレイ１１０（例えば、通常のディスプレイ、タッチ感応型ディスプレイ、いくつかのディスプレイ装置等）、ユーザ・インタフェース１２０（例えば、タッチパッド、マウス、キーボード、ディスプレイ上のタッチ感応型手段等）、後述するようにガイドラインの実行を整合させることができるプロセッサ１３０、及びメモリ１４０（例えば、ハード・ドライブなどのデータ記憶装置、及びＲＡＭなどの不揮発性メモリ又はダイナミック・メモリ）を含む。システム１００は、任意的には、他の構成部分（例えば、心拍数モニタ、血圧モニタ、グルコース・メータ等などの患者監視装置）を更に含み得る。
【００１２】
図２は、ガイドラインの実行を整合する例示的な方法２００を示す。例示的な実施例では、方法２００が例えば、図１を参照して上述したシステム１００によって実行される。しかし、方法２００は、本明細書及び特許請求の範囲記載のガイドラインを提供し、整合させることができる何れかのシステムによって実行することができる。ステップ２１０では、患者の状態が受け取られる。前述の状態は例えば、疾病、損傷、待機的処置、若しくは検査群、又は関連付けられた勧告されたステップの組を有する何れかの他の状態である。システム１００は、ユーザ入力を介して患者の状態を受け取り（例えば、ユーザは、ユーザ・インタフェース１２０を使用してディスプレイ１１０上に表示される種々の状態から選択し）、又は、心拍数モニタ、血圧モニタ、グルコース・メータ等などの入力装置から受け取られた入力を介して患者の状態を判定し得る（例えば、システム１００は、システム１００に入力されている心電図情報に基づいて患者が心臓マヒを起こしていると判定し得る）。
【００１３】
患者が（例えば、病院、クリニック、開業医の個人診療所、救急車等に）初めて訪れると、患者の状態、及び使用すべきガイドラインは常に知られている訳でないことがあり得る。よって、前述の状況では、このステップには、診断ガイドラインの使用が先行し得る。同様に、緊急医療の状況（例えば、ＥＭＳ、救急部門）では、これには、患者に優性順位を付けるためにトリアージ・ガイドラインの使用が先行し得る。
【００１４】
ステップ２１５では、受け取られた状態に対応するガイドラインが取り出される。ガイドラインは、局所に（例えば、システム１００のメモリ１４０に）記憶し、内部的に取り出し得、又は遠隔に（例えば、全てのガイドラインが、特定の病院、医療ネットワークについて維持される中央の場所で）記憶し、維持し得る。ガイドラインは通常、患者の状態を適切に処置又は解決するために行うべき、勧告されたステップの組を含む。ガイドラインは、線形であり得（例えば、実行する対象のステップの組は、順番に実行すべきであり得）、互いに並列に（例えば、同時に）する対象のステップを含み得、又は、先行ステップ等の結果に基づいて、それらから選ばれる対象の２つ以上のステップが存在している分岐を含み得る。
【００１５】
ステップ２２０では、ガイドラインはユーザに向けて（例えば、ディスプレイ１１０を介して）表示される。ガイドラインは、部分的に（例えば、第１のステップ、最初の２つのステップ等の表示）、又は全部を表示し得る。ユーザは、種々の表示オプションのうちから選ぶことができ得る。システム１００が他のタスクを同時に扱う場合、ガイドラインは、ディスプレイ１１０の一部においてのみ表示し得る一方、ディスプレイ１１０の残りは、ガイドラインに無関係であり、かつ／又は、その他のタスクを扱うことに関係するデータを表示し得る。あるいは、ディスプレイは、順序が次のステップを強調表示し、かつ／又は、（例えば、先行して完了したステップにより、それが無関係になるので、もう適用可能でない場合や、前もって必要なステップが未だ完了していないので、可能でない等の場合、）今のところ利用可能でないステップをグレイアウトし得る。更に、完了の種々の状態（例えば、未だ達していない、飛ばした、ディセーブルした、アクティブである、部分的に完了している、完了している、完了している／アクティベートされている／ディセーブルされていると推論している等）におけるステップは（例えば、別の色、別の境界等を使用して）グラフィッカルに分類し得る。
【００１６】
ステップ２２５では、システム１００は、ユーザからステップの選択を受け取る。選択は、例えば、ユーザ・インタフェース１２０を使用して（例えば、マウスのクリックによる、タッチ感応型ディスプレイ装置に触ることによる等）達成される。このステップ選択は、ガイドライン内のステップが、実行について検討されており、よって、後述するように、選択の時点で選択されたステップを実行することが適切か否かをシステムに評価させるということを示している。
【００１７】
ステップ２３０では、ガイドラインにおける次のステップであるか否かを判定するためにステップ２２５において受け取られたステップ選択を評価する。これが、適切な次ステップである場合、方法はステップ２３５に進み、システム１００は、選択されたステップを進み得る旨をユーザに向けて（例えば、ディスプレイ１１０上に示すメッセージを介して）示す。次に、ステップ２４０では、システム１００は、（例えば、更なるマウス・クリック又は他の入力（通常、ステップ２２５で使用されるものと同様）により、）ステップが完了した場合に、ユーザから完了確認を受け取る。
【００１８】
あるいは、システム１００が、選択されたステップが、順序が乱れていると判定した場合、方法はステップ２４５に進み、システム１００は、ユーザに、まず実行すべき他のステップが存在している旨をユーザに示す。前述の表示は、例えば、ディスプレイ１１０上に前述の前もって必要なステップを強調表示し、よって、特定のステップ又は目標に達成するために、完了することが必要なステップについてユーザに知らせることによって達成される。選択されたステップに対する複数の経路が存在している場合、システム１００は全ての選択肢を示し得る。次に、ステップ２５０では、システム１００は、順序を乱した、選択されたステップの実行に関連付けられた警告を更に供給し得る。例えば、脳卒中治療のガイドラインでは、所要の臨床検査の完了を示すステップの完了に先行する脳卒中が起こることを除外するステップの完了に標識が付けられる。標識を付けることは、例えば、ステップが、警告メッセージでの（点滅、又は輪郭若しくはステップ全体のカラーコード化などによって）強調表示されることであり得る。警告は、表示子トーン等を再生することにより、ディスプレイ１１０を介して提供し得る。システム１００は、ガイドライン内のステップが、順序が乱れて完了することを可能にし得るが、そうしない医療上の理由が存在し得る。前述の警告に対する適切な応答は、次いで、個々の臨床現場の考えしだいで、又は、個々の医療関係者等によって判定し得る。
【００１９】
その後、ステップ２５５で、システムは、選択されたステップが完了した旨の表示の受け取りを待つ。前述の表示は、ステップ２４０について上述したのと同様に実現することができる。ユーザが、順序を乱したステップを完了しないことを選んだ場合、方法は、ステップ２２５に戻り、システムは、新たなステップ選択の受け取りを待つ。選択されたステップが完了した旨をユーザが示した場合、方法はステップ２６０に続き、ステップ２６０では、システム１００は、選択されたステップに達するために、選択されたステップに対して予め定められた、前もって必要な何れかのステップが完了したと推論する。これは、救急室などの環境において有用であり得る。上記環境では、完了すると、全ての行動を記録する機会が常に存在している訳でない。例えば、選択したステップが、患者に対して心電図検査をすることである場合、システムは、患者が受け入れられたと推論し得る。
【００２０】
ステップ２４０又はステップ２６０に続くステップ２６５では、システム１００は、ちょうど完了したステップによって何れかのステップが無関係にされたか、又は不可能にされたかを判定する。異なる２つのタイプの走査が特定の状態を求めて患者を検査する選択肢であり得る一例では、２つのうちの最初のタイプの走査がもう完了している場合、第２の走査はもう適用可能でないことがあり得る。別の例では、決定ステップ「脳卒中は除外されたか」に否定的に回答された場合、ステップ「接近遭遇」は可能でないことがあり得る。上述の通り、前述のステップは、ディスプレイ１００においてグレイアウトされて表示し得る。しかし、ユーザは、必要な場合、先行して実行した走査の結果の確認などの前述のステップを行うことがなおでき得る。
【００２１】
ステップ２６５の後、ステップ２７０では、システム１００は、ガイドラインが完了しているか否かを判定する。完了のための標準は、使用されるガイドラインのタイプ（例えば、検査の完了、手術の実行、患者の退院等）に応じて変わり得る。ガイドラインが完了していない場合、ステップ２７５で、システム１００は、上述の変更（例えば、選択されたステップの完了、前もって必要なステップの完了、無関係の／不可能なステップの識別等）により、ガイドラインを更新する。ガイドラインが更新された後、方法はステップ２２０に戻り、更新されたガイドラインがユーザに向けて表示される。あるいは、ガイドラインが完了したとシステム１００が判定した場合、方法は、ステップ２７０後に終結する。
【００２２】
システム１００は、特定の患者の症例において実行されるガイドラインのステップ全てのステップ毎の実行を順次再生することができ得る。前述の動作は、例えば、動作が効率的に実行されていることを確実にするために医療提供者の行動を再検討するために有用である。前述の動作は、方法２００の実行中に、又は、別の時点で遡って開始し得る。
【００２３】
ガイドライン内の完了したステップは、完了した状態になる前の時点にガイドラインを戻すための「アンドゥー」の選択肢を有し得る。これは、ステップが、「誤って完了した」と表されていた場合や、ステップが誤って完了し、繰り返す必要がある場合等の場合に有用である。
【００２４】
別の例示的な実施例では、システム１００は、順次実行すべきであると勧告された場合でも、ガイドライン内の複数のステップが同時に進むことを可能にするよう適合し得る。これは、同時に行うことが意図されたステップを含むガイドラインについても可能であり得る。
【００２５】
図３は、ディスプレイ１１０などを介してユーザに提供され得るグラフィカル・ユーザ・インタフェース（「ＧＵＩ」）３００を示す。ＧＵＩ３００上で提供される情報は、患者識別情報３１０、医師識別情報３２０、種々のアクティブなガイドラインのうちでナビゲートするための選択タブ３３０、３３２，３３４、３３６及び３３８、アクティブなガイドラインのグラフィカル表現３４０、及び勧告された次のステップ３５０のリストを含み得る。ＧＵＩ３００上のウィンドウズ（登録商標）は、サイジング・アイコン３６０及び３６５を使用してサイズ変更し得る。
【００２６】
グラフィカル表現３４０に示すように、ガイドライン内の個々のステップのステ―タスはグラフィカルに表し得る。例えば、完了と明示的に示されているステップは、青色の背景で示す一方、（例えば、ステップ２６０を参照して上述したように）完了と推論されているステップは、青色の背景及び赤色の境界で示す。イナクティブなステップは白色の背景で示す一方、（例えば、ステップ２６５を参照して上述したように）無関係であると推論されているステップは、灰色の背景及び赤色の境界で示す。アクティブなステップは、肌色の背景で示し、部分的に完了したステップは部分的に青色であり、部分的に灰色である背景で示し、青色の量は完了率を示す。
【００２７】
別の実施例では、システム（例えば、この実施例においては、より広い医療ネットワークにおける単一のワークステーション）によって提供される情報はシステムのユーザに特有であり得る。前述の実施例では、疾病及び／又は患者のガイドライン全部を表示するかわりに、ユーザには、自分が関係したステップのみが提供される。例えば、ＣＴ検査に関するガイドラインの場合、Ｘ線技師のワークステーションは、ＣＴスキャン自体の実行に関するガイドラインのステップのみを表示する。その後、走査が完了すると、放射線科医のワークステーションは、走査の解釈に関するガイドラインのステップのみを表示する。
【００２８】
更に、単一のワークステーションは、ガイドラインを見ているユーザに基づいてガイドラインの別々のステップを有する複数のウィンドウを表示し得る。例えば、緊急室の状況では、医師及び看護師がいることがあり得、ディスプレイは、医師のウィンドウ内で医師に適切なガイドラインのステップ、及び看護師のウィンドウ内で看護師に適切なガイドラインのステップを表示する医師及び看護師毎に開いている表示ウィンドウを有し得る。
【００２９】
更に、ユーザ入力装置は、受け取る対象の入力が、種々のユーザ及び／又は職務内容説明書のガイドラインの表示を切り換えることを可能にし得る。例えば、ガイドラインを、トリアージ看護師に関連付けられた患者に対して機能を行うトリアージ看護師について表示し得る。患者に対する責任は、その場合、別の看護師（例えば、急患治療の看護師）が負い得る。急患治療の看護師は、当該職務機能に関連付けられた適切なガイドライン・ステップが表示されるように、急患治療の看護師が現在、患者を看護している旨を示す入力により、ガイドラインを表示するシステムを提供し得る。
【００３０】
本明細書及び特許請求の範囲の趣旨又は範囲から逸脱しない限り、種々の修正を本明細書及び特許請求の範囲において行うことができるということは当業者に明らかとなるであろう。よって、本明細書及び特許請求の範囲は、特許請求の範囲及びその均等物の範囲内に収まるという条件で、本明細書及び特許請求の範囲の修正及び変形を包含するということを意図している。
【００３１】
更に、特許請求の範囲は、ＰＣＴ規則６．２（ｂ）に応じて参照符号を含み得る。しかし、本出願の特許請求の範囲は、参照符号に対応する例示的な実施例に限定されるものとみなされるべきでない。
【図１】
2012507769.tif 000003
【図２】
2012507769.tif 000004
【図３】
2012507769.tif 000005
【手続補正書】
【提出日】平成23年5月9日(2011.5.9)
【手続補正１】
【補正対象書類名】特許請求の範囲
【補正対象項目名】全文
【補正方法】変更
【補正の内容】
【特許請求の範囲】
【請求項１】
方法であって、
患者に対応する状態を含む入力を受け取るステップと、
前記状態に対応する勧告の組を取り出すステップと、
前記勧告の組の少なくとも一部分をユーザに向けて表示するステップと、
前記勧告のうちの１つが完了している旨の入力を受け取るステップと、
前記勧告のうちの前記１つが完了している旨の前記入力に基づいて前記勧告の前記表示を修正するステップと
を含む方法。
【請求項２】
請求項１記載の方法であって、前記修正するステップは、前記勧告のうちの前記１つが完了している旨を示すステップを含む方法。
【請求項３】
請求項１記載の方法であって、前記修正するステップは、前記１つの勧告が完了している旨の前記入力に基づいて他の少なくとも１つの勧告が完了している旨を示すステップを含む方法。
【請求項４】
請求項１記載の方法であって、前記修正するステップは、前記１つの勧告が完了している旨の前記入力に基づいて、他の少なくとも１つの勧告は、無関係であること、及び完了するのが可能でないことのうちの何れか一方であることを示すステップを含む方法。
【請求項５】
請求項１記載の方法であって、前記修正するステップは、前記１つの勧告が完了している旨の前記入力に基づいて勧告の別個の少なくとも２つの経路を含む複数の勧告を表示するステップを含む方法。
【請求項６】
請求項１記載の方法であって、
前記勧告の組のうちの１つの選択をユーザから受け取るステップであって、前記勧告のうちの前記選択された勧告は、前記勧告の組の系列から逸脱しているステップと、
前記逸脱している勧告に関する情報を前記ユーザに提供するステップとを含む方法。
【請求項７】
請求項１記載の方法であって、
ユーザの職務機能を示す更なる入力を受け取るステップと、
ユーザの職務機能に基づいて前記勧告の前記表示を修正するステップと
を更に含む方法。
【請求項８】
請求項１記載の方法であって、前記入力は、ユーザ入力及びパラメータ入力の一方である方法。
【請求項９】
請求項１記載の方法であって、前記表示を修正するステップは、前記勧告のうちの前記１つの色を変えるステップ、及び前記勧告のうちの前記１つを取り囲む境界を変えるステップの一方を含む方法。
【請求項１０】
システムであって、
プロセッサ、
ディスプレイ、及び
メモリを備え、
前記プロセッサは、患者に対応する状態の入力を受け取り、前記状態に対応する勧告の組を前記メモリから取り出し、前記ディスプレイはユーザに向けて前記勧告の組を表示し、前記プロセッサは、前記勧告のうちの１つが完了している旨の入力を受け取り、前記勧告のうちの１つが完了している旨の入力に基づいて前記勧告の前記表示を修正する旨の命令を前記ディスプレイに送出するシステム。
【請求項１１】
請求項１０記載のシステムであって、前記表示を修正する旨の命令は、前記勧告のうちの前記１つが完了している旨を示すステップを含むシステム。
【請求項１２】
請求項１０記載のシステムであって、前記表示を修正する旨の命令は、前記１つの勧告が完了している旨の前記入力に基づいて他の少なくとも１つの勧告が完了している旨を示すステップを含むシステム。
【請求項１３】
請求項１０記載のシステムであって、前記表示を修正する旨の命令は、前記１つの勧告が完了している旨の前記入力に基づいて、他の少なくとも１つの勧告は、無関係であること、及び完了するのが可能でないことのうちの何れか一方であることを示すステップを含むシステム。
【請求項１４】
請求項１０記載のシステムであって、前記表示を修正する旨の命令は、前記１つの勧告が完了している旨の前記入力に基づいて勧告の別個の少なくとも２つの経路を含む複数の勧告を表示するステップを含むシステム。
【請求項１５】
請求項１０記載のシステムであって、
前記入力を受け取るためのユーザ・インタフェース装置を更に備えるシステム。
【国際調査報告】
2012507769.tif 000006
2012507769.tif 000007
2012507769.tif 000008